【手続補正書】
【提出日】令和1年6月24日(2019.6.24)
【手続補正１】
【補正対象書類名】明細書
【補正対象項目名】０００８
【補正方法】変更
【補正の内容】
【０００８】
前記目的を達成するため、本発明に係る画像処理装置の一様態は、
測定対象に取り付けられた測定装置により測定された前記測定対象の測定情報と、前記測定装置が前記測定情報の測定を行った測定時間と、を有し前記測定装置によって発信された可視光信号と、前記測定対象の映像と、を含む動画情報を入手する入手手段と、
前記入手手段により入手された前記動画情報に含まれる前記可視光信号から前記測定情報と前記測定時間とを取得し、取得した前記測定時間に基づいて、前記測定情報と前記動画情報とを時間的に同期する取得手段と、
を備える、
ことを特徴とする。
【手続補正２】
【補正対象書類名】明細書
【補正対象項目名】００１０
【補正方法】変更
【補正の内容】
【００１０】
また、前記目的を達成するため、本発明に係る画像処理システムの一様態は、
測定対象に取り付けられて前記測定対象の測定情報を測定し、測定した前記測定情報と前記測定情報の測定を行った測定時間とを有する可視光信号を発信する測定装置と、
前記可視光信号と前記測定対象の映像とを含む動画情報を入手する入手手段と、前記入手手段により入手された前記動画情報に含まれる前記可視光信号から前記測定情報と前記測定時間とを取得し、取得した前記測定時間に基づいて、前記測定情報と前記動画情報とを時間的に同期する取得手段と、を有する画像処理装置と、
を備える、
ことを特徴とする。
【手続補正３】
【補正対象書類名】明細書
【補正対象項目名】００１１
【補正方法】変更
【補正の内容】
【００１１】
また、前記目的を達成するため、本発明に係る画像処理方法の一様態は、
測定対象に取り付けられた測定装置により測定された前記測定対象の測定情報と、前記測定装置が前記測定情報の測定を行った測定時間と、を有し前記測定装置によって発信された可視光信号と、前記測定対象の映像と、を含む動画情報を入手し、
入手した前記動画情報に含まれる前記可視光信号から前記測定情報と前記測定時間とを取得し、取得した前記測定時間に基づいて、前記測定情報と前記動画情報とを時間的に同期する、
ことを含む、
ことを特徴とする。
【手続補正４】
【補正対象書類名】明細書
【補正対象項目名】００１２
【補正方法】変更
【補正の内容】
【００１２】
また、前記目的を達成するため、本発明に係るプログラムの一様態は、
コンピュータに、
測定対象に取り付けられた測定装置により測定された前記測定対象の測定情報と、前記測定装置が前記測定情報の測定を行った測定時間と、を有し前記測定装置によって発信された可視光信号と、前記測定対象の映像と、を含む動画情報を入手する入手処理、
入手した前記動画情報に含まれる前記可視光信号から前記測定情報と前記測定時間とを取得し、取得した前記測定時間に基づいて、前記測定情報と前記動画情報とを時間的に同期する取得処理、
を実行させる、
ことを特徴とする。
【手続補正５】
【補正対象書類名】特許請求の範囲
【補正対象項目名】全文
【補正方法】変更
【補正の内容】
【特許請求の範囲】
【請求項１】
測定対象に取り付けられた測定装置により測定された前記測定対象の測定情報と、前記測定装置が前記測定情報の測定を行った測定時間と、を有し前記測定装置によって発信された可視光信号と、前記測定対象の映像と、を含む動画情報を入手する入手手段と、
前記入手手段により入手された前記動画情報に含まれる前記可視光信号から前記測定情報と前記測定時間とを取得し、取得した前記測定時間に基づいて、前記測定情報と前記動画情報とを時間的に同期する取得手段と、
を備える、
ことを特徴とする画像処理装置。
【請求項２】
前記入手手段は、前記動画情報を撮影する撮影手段である、
ことを特徴とする請求項１に記載の画像処理装置。
【請求項３】
前記入手手段は、前記動画情報を撮影した撮影装置から前記動画情報を受信する受信手段である、
ことを特徴とする請求項１に記載の画像処理装置。
【請求項４】
前記入手手段が入手した前記動画情報と前記取得手段が取得した前記測定情報とを同時に表示する表示手段を更に備える、
ことを特徴とする請求項１から３のいずれか１項に記載の画像処理装置。
【請求項５】
前記入手手段は、前記測定装置を識別する識別情報を更に有する前記可視光信号を含む前記動画情報を入手し、
前記取得手段は、前記入手手段により入手された前記動画情報に含まれる前記可視光信号から前記識別情報を取得する、
ことを特徴とする請求項１から４のいずれか１項に記載の画像処理装置。
【請求項６】
前記入手手段は、前記測定装置が前記測定情報を解析して算出した評価値を更に有する前記可視光信号を含む前記動画情報を入手する、
ことを特徴とする請求項１から５のいずれか１項に記載の画像処理装置。
【請求項７】
前記入手手段は、前記測定装置が前記測定情報を解析して算出した評価値が閾値を超えたことを示すアラートフラグを更に有する前記可視光信号を含む前記動画情報を入手し、
前記取得手段は、前記入手手段により入手された前記動画情報に含まれる前記可視光信号から前記アラートフラグを取得し、
前記表示手段は、前記取得手段が前記アラートフラグを取得した場合に、前記動画情報上の前記測定装置を含む部分を強調表示する、
ことを特徴とする請求項４に記載の画像処理装置。
【請求項８】
複数の前記測定装置のうちの特定の前記測定装置を選択する指示を受け付ける受付手段を更に備え、
前記表示手段は、選択された前記測定装置が取り付けられた前記測定対象の前記測定情報と前記動画情報とを同時に表示する、
ことを特徴とする請求項４に記載の画像処理装置。
【請求項９】
前記測定情報は、前記測定装置が運動している前記測定対象から取得した運動情報を含む、
ことを特徴とする請求項１から８のいずれか１項に記載の画像処理装置。
【請求項１０】
前記測定情報は、前記測定装置が前記測定対象から取得した生体情報を含む、
ことを特徴とする請求項１から９のいずれか１項に記載の画像処理装置。
【請求項１１】
前記測定情報は、前記測定装置が前記測定対象の周囲の環境から取得した環境情報を含む、
ことを特徴とする請求項１から１０のいずれか１項に記載の画像処理装置。
【請求項１２】
前記可視光信号は可視光の点滅パターンを含む、
ことを特徴とする請求項１から１１のいずれか１項に記載の画像処理装置。
【請求項１３】
前記可視光信号は波長の異なる複数の可視光を含む、
ことを特徴とする請求項１から１２のいずれか１項に記載の画像処理装置。
【請求項１４】
測定対象に取り付けられて前記測定対象の測定情報を測定する測定手段と、
前記測定手段が測定した前記測定情報を有する可視光信号を発信する発光手段と、
を備え、
前記測定手段は、地磁気を測定して前記測定対象の角度変位を取得し、
前記発光手段は、前記角度変位が閾値を超えない場合に前記可視光信号を発信し、前記角度変位が前記閾値を超える場合に前記可視光信号を発信しない、
ことを特徴とする測定装置。
【請求項１５】
測定対象に取り付けられて前記測定対象の測定情報を測定し、測定した前記測定情報と前記測定情報の測定を行った測定時間とを有する可視光信号を発信する測定装置と、
前記可視光信号と前記測定対象の映像とを含む動画情報を入手する入手手段と、前記入手手段により入手された前記動画情報に含まれる前記可視光信号から前記測定情報と前記測定時間とを取得し、取得した前記測定時間に基づいて、前記測定情報と前記動画情報とを時間的に同期する取得手段と、を有する画像処理装置と、
を備える、
ことを特徴とする画像処理システム。
【請求項１６】
測定対象に取り付けられた測定装置により測定された前記測定対象の測定情報と、前記測定装置が前記測定情報の測定を行った測定時間と、を有し前記測定装置によって発信された可視光信号と、前記測定対象の映像と、を含む動画情報を入手し、
入手した前記動画情報に含まれる前記可視光信号から前記測定情報と前記測定時間とを取得し、取得した前記測定時間に基づいて、前記測定情報と前記動画情報とを時間的に同期する、
ことを含む、
ことを特徴とする画像処理方法。
【請求項１７】
コンピュータに、
測定対象に取り付けられた測定装置により測定された前記測定対象の測定情報と、前記測定装置が前記測定情報の測定を行った測定時間と、を有し前記測定装置によって発信された可視光信号と、前記測定対象の映像と、を含む動画情報を入手する入手処理、
入手した前記動画情報に含まれる前記可視光信号から前記測定情報と前記測定時間とを取得し、取得した前記測定時間に基づいて、前記測定情報と前記動画情報とを時間的に同期する取得処理、
を実行させる、
ことを特徴とするプログラム。